(57)【要約】【課題】同時走査させる光ビームの走査軌跡における弓状湾曲率の差と、繰り返し走査されるときの境界部分の光ビームの走査軌跡における弓状湾曲率の差と、の双方に起因する異なる性質の濃度むらを一括して補正することで、画質の安定化を図る。【解決手段】主走査ラインの弓状の湾曲であるＢＯＷとＢＯＷ差に起因する同時走査ライン間の主走査方向のピッチ変動による濃度差と、繰り返し走査ラインの境界の主走査方向のピッチ変動による濃度差と、がそれぞれ相反する濃度変化が発生するにも関わらず、容易にかつ、同時に補正することで、濃度むらによる画質低下を防止することができる。【選択図】図３
2008026541.tif 000002
【特許請求の範囲】
【請求項１】
主走査方向及び副走査方向にそれぞれ所定の間隔を持って設けられ、それぞれ光ビームを出力する複数の発光点を備えた光源と、
前記光源から出力された複数の前記光ビームを同一の偏向面で反射させ、主走査方向に繰り返し偏向走査する偏向器と、
前記光源と前記偏向器と間で複数の前記光ビームを副走査方向に集光させる集光光学系と、
前記光ビームの主走査軌跡が弓状に歪むこと、並びに前記発光点の相対位置関係に起因して実行される主走査開始タイミングの電気的補正により、同時に主走査された主走査ライン間の副走査方向間隔の変位量に基づいて、光ビームの光量を補正する同時走査ピッチ補正手段と、
前記光ビームの主走査軌跡が弓状に歪むこと、並びに前記発光点の相対位置関係に起因して実行される主走査開始タイミングの電気的補正により、複数の光ビーム群単位で繰り返し主走査されるときの前記光ビーム群間の境界に対応する主走査ライン間の副走査方向間隔の変位量に基づいて、光ビームの光量を補正する繰り返し走査ピッチ補正手段と、
を有する光ビーム走査装置。
【請求項２】
前記光ビームの光量の補正を、光ビームの強度調整又はパルス幅変調の少なくとも一方の制御により実行することを特徴とする請求項１記載の光ビーム走査装置。
【請求項３】
前記偏向走査された複数の前記光ビームを異なる像担持体へ案内し、複数の像担持体に対して、同時に走査することを特徴とする請求項１又は請求項２記載の光ビーム走査装置。
【発明の詳細な説明】
【技術分野】
【０００１】
本発明は、主走査方向及び副走査方向にそれぞれ所定の間隔を持って設けられ、それぞれ光ビームを出力する複数の発光点を備えた光源と、前記光源から出力された複数の前記光ビームを同一の偏向面で反射させ、主走査方向に繰り返し偏向走査する偏向器と、前記光源と前記偏向器と間で複数の前記光ビームを副走査方向に集光させる集光光学系とを備え、特に、偏向走査された複数の前記光ビームを異なる像担持体へ案内し、複数の像担持体に対して、同時に走査する光ビーム走査装置に関するものである。
【背景技術】
【０００２】
プリント速度の高速化、高解像度化のために複数の光ビームを射出する光源を用いた光ビーム走査装置がある。このような光ビーム走査装置において、複数の光ビーム（複数の光源、或いは複数の発光点を持つ光源）を配列し、同時に複数の感光体上を複数の光ビームで走査することが提案されている。
【０００３】
この場合、光ビームを偏向手段である回転多面鏡（ポリゴンミラー等）の偏向面上に入射する光ビームの光軸が平行であるのが一般であるが、光軸が平行であると、複数の感光体へ案内するため、回転多面鏡の副走査方向の寸法（回転軸方向であり、厚さ方向）が拡大される。このため回転多面鏡全体が大きくなってしまい、回転時の負荷が大きいため、高速回転に不向きであり、信頼性が低下する。
【０００４】
このため、副走査方向にパワーを持った偏向前光学系を回転多面鏡の前に配置し、複数の光ビームを回転多面鏡の偏向面の近傍で副走査方向に集光するよう、入射角を持たせることが考えられる。これにより、回転多面鏡の厚さ方向の寸法を小さく（すなわち、薄く）することができ、高速回転に対応させることができる。
【０００５】
ここで、偏向前光学系により、光ビームに入射角があると、主走査時の光ビームの軌跡が弓状に湾曲する（以下、「ＢＯＷ」という場合がある）。
【０００６】
また、複数の光ビームが同時に走査させる場合、前記回転多面鏡への斜め入射に起因して、各光ビームの弓状の湾曲率が異なり（以下、湾曲率の差を「ＢＯＷ差」という場合がある）、主走査方向の各位置でビームの相対位置関係がずれることになる（図９（Ａ）参照）。
【０００７】
さらに、ＢＯＷ及びＢＯＷ差による光ビームの相対位置変化は、主走査開始タイミングの補正を行った場合に、副走査方向のピッチずれとなる（図９（Ｂ）参照）。
【０００８】
上記ＢＯＷ又はＢＯＷ差に関する関連技術、特許文献１及び特許文献２のような技術が提案されている。
【０００９】
特許文献１は、マルチビームにおいて、走査レンズの光軸を離れた場所を通過することによるＢＯＷ差に対して、走査レンズに補正屈折面を持つことにより補正することが開示されている。
【００１０】
特許文献２は、ＢＯＷが、走査線ピッチの０．８倍未満かＳＡＧビームの０．６倍未満となるようにすることにより、走査線間隔の変動が発生しても濃度むらが目立たないようにすることが開示されている。
【特許文献１】特開平１１−１０９２６６号公報
【特許文献２】特開２００４−０１２５６８公報
【発明の開示】
【発明が解決しようとする課題】
【００１１】
しかしながら、複数ビームを所定の入射角度を持って回転多面鏡に入射させ、複数の感光体に分散する走査系では、同時に走査される光ビームの副走査方向のピッチずれの変化方向（以下、「第１の方向」という）は、走査開始側（ＳＯＳ側）から走査中間点（ＣＯＳ）を経て走査終了側（ＥＯＳ側）にかけて一定ではなく、偏向器に対する入射方向んいより徐々に狭まる、若しくは拡がる傾向にある。
【００１２】
これに対して、繰り返し走査される光ビーム群間の境界の副走査方向のピッチずれ変化方向（以下、「第２の方向」という）は、ＳＯＳ側からＣＯＳを経てＥＯＳ側にかけて第１の方向におけるピッチずれ変化方向とは反対になる傾向にある。
【００１３】
すなわち、図１０（Ａ）及び（Ｂ）に示される如く、第１の方向と第２の方向とは濃度変化が相反することになり、単純な濃度調整では対応しきれない状況下にある。
【００１４】
本発明は上記事実を考慮し、同時走査させる光ビームの走査軌跡における弓状湾曲率の差と、繰り返し走査されるときの境界部分の光ビームの走査軌跡における弓状湾曲率の差と、の双方に起因する異なる性質の濃度むらを一括して補正することで、画質の安定化を図ることができる光ビーム走査装置を得ることが目的である。
【課題を解決するための手段】
【００１５】
本発明は、主走査方向及び副走査方向にそれぞれ所定の間隔を持って設けられ、それぞれ光ビームを出力する複数の発光点を備えた光源と、前記光源から出力された複数の前記光ビームを同一の偏向面で反射させ、主走査方向に繰り返し偏向走査する偏向器と、前記光源と前記偏向器と間で複数の前記光ビームを副走査方向に集光させる集光光学系と、前記光ビームの主走査軌跡が弓状に歪むこと、並びに前記発光点の相対位置関係に起因して実行される主走査開始タイミングの電気的補正により、同時に主走査された主走査ライン間の副走査方向間隔の変位量に基づいて、光ビームの光量を補正する同時走査ピッチ補正手段と、前記光ビームの主走査軌跡が弓状に歪むこと、並びに前記発光点の相対位置関係に起因して実行される主走査開始タイミングの電気的補正により、複数の光ビーム群単位で繰り返し主走査されるときの前記光ビーム群間の境界に対応する主走査ライン間の副走査方向間隔の変位量に基づいて、光ビームの光量を補正する繰り返し走査ピッチ補正手段と、を有している。
【００１６】
本発明によれば、光源の複数の発光点から光ビームを照射し、同一の偏向器に入射させるとき、集光光学系では、光ビームを副走査方向に偏向するため、複数の光ビームが集光する。これにより、偏向器の副走査方向の寸法（厚さ）を小さく（薄く）することができる。
【００１７】
ところで、このように偏向器への入射が、副走査方向に傾斜していると、主走査方向の光ビームの走査軌跡が弓状に湾曲し、複数の光ビームが同時走査されると、これらの湾曲率が異なる。
【００１８】
さらに、発光点の相対位置関係に基づいて、複数の光ビームにおける主走査開始タイミングを電気的に補正する必要があり、この結果、光ビームの弓状の湾曲が冗長される。
【００１９】
上記主走査方向の走査軌跡の弓状湾曲、並びに光ビーム毎の湾曲率の差は、濃度むらの原因となっている。
【００２０】
そこで、同時走査ピッチ補正手段では、前記光ビームの主走査軌跡が弓状に歪むこと、並びに前記発光点の相対位置関係に起因して実行される主走査開始タイミングの電気的補正により、同時に主走査された主走査ライン間の副走査方向間隔の変位量（第１の濃度むら）に基づいて、光ビームの光量を補正する。
【００２１】
また、繰り返し走査ピッチ補正手段では、同時走査ピッチ補正手段と、前記光ビームの主走査軌跡が弓状に歪むこと、並びに前記発光点の相対位置関係に起因して実行される主走査開始タイミングの電気的補正により、複数の光ビーム群単位で繰り返し主走査されるときの前記光ビーム群間の境界に対応する主走査ライン間の副走査方向間隔の変位量（第２の濃度むら）に基づいて、光ビームの光量を補正する。
【００２２】
上記第１の濃度むらと第２の濃度むらは、主走査方向において、互いに相反する濃度変化が発生するが、本発明ではこれら性質の異なる濃度むらを一括して補正することができる。
【００２３】
上記発明において、前記光ビームの光量の補正を、光ビームの強度調整又はパルス幅変調の少なくとも一方の制御により実行することを特徴としている。
【００２４】
光ビームの光量の補正は、実際には、感光体等の像担持体における露光量であり、露光量は、光量×時間で表すことができ、この何れの要件、すなわち光量自体の強度を対象として補正してもよいし、発光時間（パルス幅変調）を対象として補正してもよい。
【００２５】
また、本発明において、前記偏向走査された複数の前記光ビームを異なる像担持体へ案内し、複数の像担持体に対して、同時に走査することを特徴としている。
【００２６】
異なる像担持体へ案内するためには、前記偏向器への入射角度が大きくなり、本発明の濃度むら補正が有効となる。
【発明の効果】
【００２７】
以上説明した如く本発明では、同時走査させる光ビームの走査軌跡における弓状湾曲率の差と、繰り返し走査されるときの境界部分の光ビームの走査軌跡における弓状湾曲率の差と、の双方に起因する異なる性質の濃度むらを一括して補正することで、画質の安定化を図ることができるという優れた効果を有する。
【発明を実施するための最良の形態】
【００２８】
図１に示すように、カラーレーザープリンタに備えられた光ビーム走査装置１０は、それぞれ矢印Ｖ方向に回転する感光体１２Ｙ、１２Ｍ、１２Ｃ、１２Ｋに、それぞれ光束群としてのレーザビーム群ＬＹ、ＬＭ、ＬＣ、ＬＫを照射して潜像を形成する。感光体１２Ｙ、１２Ｍ、１２Ｃ、１２Ｋに形成された潜像は、図示しない各色の現像器によって、それぞれイエロー（Ｙ）、マゼンタ（Ｍ）、シアン（Ｃ）、及びブラック（Ｋ）のトナー像が形成される。そして、各感光体上の各色トナー像は図示しない中間転写体に転写され重ね合われてフルカラートナー像となる。そして、中間転写体上のフルカラートナー像は一括して普通紙等の記録媒体に転写される。
【００２９】
なお、これ以降、ＹＭＣＫを区別する場合は、符号の後にＹ、Ｍ、Ｃ、Ｋのいずれかを付して説明し、ＹＭＣＫを区別しない場合は、Ｙ、Ｍ、Ｃ、Ｋを省略する。
【００３０】
光ビーム走査装置１０は、光源（面発光レーザービームアレイ）１４、偏向前光学系１６、偏向器としての回転多面鏡１８、及び走査光学系２０で構成され、単一の光源１４から複数のレーザビーム群ＬＹ、ＬＭ、ＬＣ、ＬＫ（本実施の形態では、各色８個×４色＝３２個の発光点）を射出して、走査光学系において各レーザビーム群を分離して４本の感光体１２Ｙ、１２Ｍ、１２Ｃ、１２Ｋに結像走査させる。
【００３１】
なお、感光体１２において、回転軸線方向が主走査方向であり、回転方向が副走査方向である。また、光ビーム走査装置１０の回転多面鏡１８の回転による偏向走査方向が主走査方向に対応する方向であり、偏向走査方向に直交する方向が副走査方向に対応する方向である。
【００３２】
光源１４は、前述の如く、８列×４行の合計３２個の発光点Ｐが主走査方向、及び副走査方向の２次元に配列された面発光レーザービームアレイである。
【００３３】
図２（Ａ）に示すように、光源１４の副走査方向には、それぞれが８個の発光点Ｐで構成される４群の発光点群ＰＫ、ＰＣ、ＰＭ、ＰＹが副走査方向に配列されている。各発光点群は、主走査方向、及び副走査方向に対して傾斜して直線状に配列された８個の発光点Ｐで構成されている。即ち、各発光点群を構成する全発光点は、主走査方向、又は副走査方向の同一直線上に配列されてはいない。
【００３４】
発光点群ＰＫ、ＰＣ、ＰＭ、ＰＹは、それぞれレーザビーム群ＬＫ、ＬＣ、ＬＭ、ＬＹを射出する。また、図２（Ｂ）にも示すように、それぞれのレーザビーム群は、それぞれ８本のレーザビームＬＫ１〜ＬＫ８，ＬＣ１〜ＫＣ８，ＬＭ１〜ＬＭ８、ＬＹ１〜ＬＹ８からなる。そして、各レーザビーム群の８本のレーザビームは、感光体１２を同時に走査する。
【００３５】
なお、以降各色を区別しない場合、レーザビーム群Ｌと記し、レーザビームＬ１〜Ｌ８と記す。
【００３６】
さて、図１に示すように、偏向前光学系１６は、それぞれ４群のレーザビーム群Ｌに共通のコリメートレンズ２２、第一偏向前レンズ２４、第二偏向前レンズ２６、シリンダーレンズ２７で構成されている。
【００３７】
光源１４から射出されたレーザビーム群Ｌの各光ビームＬ１〜Ｌ８は、コリメートレンズ２２、及び第一偏向前レンズ２４、第二偏向前レンズ２６によって、回転多面鏡１８の偏向面１８Ａ近傍で主走査方向及び副走査方向に略一点で交差した後、偏向面１８Ａに入射する。
【００３８】
走査光学系２０は、レーザビーム群ＬＫ、ＬＣ、ＬＭ、ＬＹが通過するｆθレンズ群２８を備えている。
【００３９】
ｆθレンズ群２８は、レーザビームＬ１〜Ｌ８を感光体１２上を等速度で走査させる、所謂ｆθ特性を備えたレンズ群である。
【００４０】
ｆθレンズ群２８の下流側には、各レーザビーム群毎に設けられた第１平面ミラー３４Ｙ、３４Ｍ、３４Ｃ、３４Ｋ、及び第２平面ミラー３６Ｙ、３６Ｍ、３６Ｃ、３６Ｋが設けられている。
【００４１】
第１平面ミラー３４Ｙ、３４Ｍ、３４Ｃ、３４Ｋは、ｆθレンズ群２８を透過し平面ミラー群３０へ入射した各レーザビーム群Ｌを反射する。また、第２平面ミラー３６Ｙ、３６Ｍ、３６Ｃ、３６Ｋは、第１平面ミラー３４Ｙ、３４Ｍ、３４Ｃ、３４Ｋによって反射された各レーザビーム群Ｌを各感光体１２へ向って反射する。
【００４２】
ここで、本実施の形態では、面発光タイプの光源１４（面発光レーザービームアレイ）による複数本同時主走査、並びに、回転多面鏡１８への入射時の副走査方向の傾斜角度によって発生する主走査軌跡の弓状の湾曲（ＢＯＷ）と、発光点の相対位置、並びに主走査開始タイミングの電気的補正に起因する主走査の開始走査（ＳＯＳ）から中間点走査（ＣＯＳ）を経て終了走査（ＥＯＳ）へ至るまでの副走査方向のピッチの変動（ＢＯＷ差）と、によって発生する濃度むらを、主走査時の前記ＳＯＳ→ＣＯＳ→ＥＯＳに従い光量を変更することで補正している。
【００４３】
すなわち、図１０（Ｂ）に示される、濃度変化に相反するような濃度調整（図３参照）を実行している。この濃度調整のため、図４に示される如く、主走査時の各位置でのビームの光量を増減するようにした（図４では、面積の大きさで濃度を示している）。
【００４４】
これを実現するために、図５に示される如く、光源１４の各発光点を点灯させるためのＬＤ駆動回路１００において、駆動電流を増減するようにしている。
【００４５】
図５に示される如く、ＬＤ駆動回路１００は、画像処理制御部１０２から画像データ信号Ｄ１〜Ｄｎ（ｎは発光点数であり、本実施の形態ではｎ＝３２となる）と、制御信号Ｃ１〜Ｃｍ（ｍは正の整数）とを受ける信号振分部１０４を備えている。
【００４６】
信号振分部１０４では、入力された画像データ信号（例えば、シリアル信号）を各発光点毎に振分けて（例えば、パラレル信号）出力する役目を有している。なお、制御信号は、デフォルトの駆動電流や、プロセスコントロール時の補正データ、特別な電流値の指示等に適用される。
【００４７】
ＬＤ駆動ドライバ１０６では、画像データに基づいて、発光点をオン・オフする電流信号を生成し、当該電流信号を駆動電流減少加減算部１０８及び駆動電流増加加減算部１１０へ送出する。
【００４８】
ここで、駆動電流減少加減算部１０８には、画像データ信号Ｄ２〜Ｄｎ−１が入力され、駆動電流増加加減算部１１０には、画像データＤ１、Ｄｎが入力されるようになっている。
【００４９】
駆動電流減少加減算部１０８は、クロック信号が入力された駆動電流大→小変更指示部１１２からの信号に基づいて、出力される駆動電流を、ＳＯＳ側では基準値（ｒｅｆ．）よりも大きくし、ＣＯＳで基準値とし、かつＥＯＳ側では基準値よりも小さくするような徐々に駆動電流が減少する傾斜とする。
【００５０】
また、駆動電流増加加減算部１１０は、クロック信号が入力された駆動電流小→大変更指示部１１４からの信号に基づいて、出力される駆動電流を、ＳＯＳ側では基準値（ｒｅｆ．）よりも小さくし、ＣＯＳで基準値とし、かつＥＯＳ側では基準値よりも大きくするような徐々に駆動電流が増加する傾斜とする。
【００５１】
このような駆動電流の制御により、図３に示されるような補正制御パターンとなり、この補正制御パターンは、図１０（Ｂ）に示される濃度パターンと相反するものであるため、結果として濃度変化を少なくすることができる。
【００５２】
以下に、本実施形態の作用を説明する。
【００５３】
画像形成指示があると、回転多面鏡１８の回転を開始し、感光体１２を所定の速度で回転させる。
【００５４】
そして、感光体１２が所定の速度で安定すると画像形成走査制御を開始する。その後、光源１４の各発光点Ｐからは、光ビームの出射が開始される。
【００５５】
そして、ＳＯＳセンサ（図示省略）より主走査同期信号が入力するタイミングを基準として、読み込んだ画像データに基づいて変調信号を生成し、光源１４の各発光点Ｐを点灯制御する。
【００５６】
この光ビームは、コリメートレンズ２２、第一偏向前レンズ２４、第二偏向前レンズ２６、シリンダーレンズ２７を介して、回転多面鏡１８の偏向面１８Ａに入射する。
【００５７】
この回転多面鏡１８の偏向面１８Ａへの入射は、主走査方向及び副走査方向に略一点で集光するように入射角度を持って入射する。
【００５８】
偏向面１８Ａで反射した光ビームは、ｆθレンズ群２８を通過Ｍし、第１平面ミラー３４Ｙ、３４Ｍ、３４Ｃ、３４Ｋ、及び第２平面ミラー３６Ｙ、３６Ｍ、３６Ｃ、３６Ｋを介して、各感光体１２へ案内する。
【００５９】
これにより、感光体１２の周面上には１回の走査毎に８本の走査ラインが同時に走査され、感光体１２の周面上に静電潜像が形成される。
【００６０】
この静電潜像が、例えば、現像器によりトナー像として現像され、このトナー像が一次転写部、二次転写部等を介して転写されていき、最終的に記録用紙に画像が記録され、定着後に排出される。
【００６１】
ところで、面発光タイプの光源１４による複数本同時主走査を行う場合、本実施の形態のように、複数の感光体１２に光ビームを分散する必要があると、回転多面鏡１８への入射時の副走査方向の傾斜角度が大きくなり、主走査軌跡の弓状の湾曲（ＢＯＷ）と、主走査方向にわたっての副走査方向のピッチの変動（ＢＯＷ差）と、によって主走査方向のピッチむらが発生している。
【００６２】
このピッチむらは、同時に主走査される複数の光ビームのピッチ変動と、繰り返し主走査される境界でのピッチ変動とがあり、これらは互いに相反する増減特性となっている（図９（Ｂ）参照）。このピッチ差が濃度むらの原因となっている。
【００６３】
このため、ＬＤ駆動回路１００では、前記境界に対応する光ビームの画像データＤ１、Ｄｎと、それ以外の画像データＤ２〜Ｄｎ−１と、に対して別個に光量変更指示を行う。
【００６４】
すなわち、主走査時の前記ＳＯＳ→ＣＯＳ→ＥＯＳに従い光量を変更するとき、図１０（Ｂ）に示される、濃度変化に相反するような濃度調整（図３参照）を実行している。
【００６５】
図５に示される如く、信号振分部１０４で画像データ信号（例えば、シリアル信号）を受信すると、各発光点毎に振分けて（例えば、パラレル信号にして）、ＬＤ駆動ドライバ１０６へ出力する。
【００６６】
ＬＤ駆動ドライバ１０６では、画像データに基づいて、発光点をオン・オフする電流信号を生成し、当該電流信号を駆動電流減少加減算部１０８及び駆動電流増加加減算部１１０へ送出する。
【００６７】
駆動電流減少加減算部１０８は、駆動電流大→小変更指示部１１２からの信号に基づいて、出力される駆動電流を、ＳＯＳ側では基準値（ｒｅｆ．）よりも大きくし、ＣＯＳで基準値とし、かつＥＯＳ側では基準値よりも小さくするような傾斜とする。
【００６８】
また、駆動電流増加加減算部１１０は、駆動電流小→大変更指示部１１４からの信号に基づいて、出力される駆動電流を、ＳＯＳ側では基準値（ｒｅｆ．）よりも小さくし、ＣＯＳで基準値とし、かつＥＯＳ側では基準値よりも大きくするような傾斜とする。
【００６９】
このような駆動電流の制御により、図３に示されるような補正制御パターンが生成され、この補正制御パターンは、図１０（Ｂ）に示される濃度パターンと相反するものとなる。これにより、主走査方向に亘ってＢＯＷ差によって変化する隙間に関係なく濃度を一定とすることができると共に、繰り返し走査される境界部分での隙間の変化に関係なく濃度をほぼ一定にすることができる。
【００７０】
以上説明したように本実施の形態では、ＢＯＷとＢＯＷ差に起因する同時走査ライン間の主走査方向のピッチ変動による濃度差と、繰り返し走査ラインの境界の主走査方向のピッチ変動による濃度差と、がそれぞれ相反する濃度変化が発生するにも関わらず、容易にかつ、同時に補正することで、濃度むらによる画質低下を防止することができる。
【００７１】
なお、本実施の形態では、ＬＤ駆動回路部において、光源１４の各発光点Ｐの駆動電流を制御して、光量調整を行ったが（すなわち、強度変調）、図６に示される如く、パルス幅変調によって光量調整を行ってもよい。
【００７２】
このパルス幅変調の場合は、図６に示される如く、画像処理制御部１０２において、クロック信号に基づいてパルス幅を設定すればよいため、ＬＤ駆動回路１００は従前のままの構成が適用可能となる。
【００７３】
すなわち、画像処理制御部１０２には、クロック信号が入力され、パルス幅制御部１１６と、制御信号生成部１１８とに入力されている。パルス幅制御部１１６には、画像データが入力されるようになっており、クロック信号に基づいて各画像信号に対して所定のパルス幅を設定し、画像信号生成部１２０へ送出する。
【００７４】
画像信号生成部１２０では、ドット単位でのパルス幅が決められた画像データが生成され、画像信号出力部１２２を介してＬＤ駆動回路部１００へ送出される。なお、制御信号生成部１１８で生成された制御信号は、制御信号出力部１２４を介してＬＤ駆動回路部１００へ送出される。
【００７５】
（変形例）
以下、本発明が適用可能な光ビーム走査装置の変形例を図７及び図８に従い説明する。
【００７６】
図７は、変形例に係る画像形成装置の光ビーム走査装置１０Ａが示されている。
【００７７】
この変形例に係る光ビーム走査装置１０Ａの特徴は、複数の光ビームを同時に、単一の回転多面鏡１５０に入射させ、ｆθレンズ１５２を透過した後の光ビームを異なる感光体ドラム１５４、１５６（図７（Ｂ）参照）へ案内する光学系を備えていることにある。
【００７８】
図７（Ａ）は、光ビーム走査装置１０Ａの一部を示しており、この図７（Ａ）の光ビーム走査装置１０Ａはブラック（ｋ）色と、シアン（Ｃ）色の画像データに対応するものである。すなわち、その他の色、マゼンタ（Ｍ）色とイエロー（Ｙ）色の画像データに対応する同一構造の光ビーム走査装置（図示省略）が併設して存在することになる。
【００７９】
ここで、図８に示される如く、２個の光ビーム走査装置は、それぞれ３０個の発光点Ｐを持つ光源１４ＣＫ、１４ＭＹを備え、各々２個の感光体を照射対象としている。
【００８０】
以下、ブラック（ｋ）、シアン（Ｃ）の感光体ドラム１５６、１５４に対応した光ビーム走査装置１０Ａを例にとり、その構成を説明する。
【００８１】
回路基板１６０に取り付けられた光源（レーザ発光アレイ）１４ＡＣＫからは、複数（３０個）の発光点Ｐからそれぞれ光ビームが照射され、コリメータレンズ１６２を透過してハーフミラー１６４で反射光と透過光とに分解される。
【００８２】
反射光はレンズ１６６を介してフォトディテクタ（ＭＰＤ）１６８に入力され、プロセスコントロール処理における光量調整されるようになっている。
【００８３】
また、ハーフミラー１６４を透過する透過光は、シリンドリカルレンズ１７０を介して、回転多面鏡１５０へ入射され、その反射光（走査光）がｆθレンズ１５２を透過する。
【００８４】
ここで、このｆθレンズ１５２を透過した光ビームの一部は、反射ミラー１７２、１７４を介してシアン（Ｃ）用シリンドリカルミラー１７６に入射し、シアン（Ｃ）用の感光体ドラム１５４へと案内される。
【００８５】
また、ｆθレンズ１５２を透過した光ビームの他の一部は、反射ミラー１７８を介してブラック（ｋ）用シリンドリカルミラー１８０に入射し、ブラック（ｋ）用の感光体ドラム１５６へと案内される。
【００８６】
このとき、ブラック（ｋ）用の光ビームがＳＯＳセンサ７８に入射する構成となっており、シアン（Ｃ）用の光ビームは、ブラック（ｋ）用の光ビームの走査タイミングに依存（同期）することになる。
【００８７】
上記構成の場合、２個の感光体１５４、１５６に分散するため、回転多面鏡１５０への入射角度（副走査方向）は前述した実施の形態によりも小さくなり、ＢＯＷの湾曲率は小さくなるが、発光点Ｐの相対位置関係において、最も離れた発光点Ｐ間の距離が増加するため、その分、走査開始タイミング時期の補正量が大きくなり、ＢＯＷ差が顕著となる。このため、本発明の濃度むら補正が有効となる。
【００８８】
なお、本実施の形態では、複数の光ビームによる主走査において、ノンインタレース走査としたが、インタレース走査においても同様の効果を得ることができる。
【図面の簡単な説明】
【００８９】
【図１】本実施の形態に係る光ビーム走査装置を示す斜視図である。
【図２】（Ａ）は光ビーム走査装置の光源の発光点の配列を説明する図、（Ｂ）は感光体上のレーザビームの走査を説明する図である。
【図３】本実施の形態における補正制御（濃度）パターンを三次元的に示した特性図である。
【図４】光量をビーム径の大きさで表現したときのＳＯＳ→ＣＯＳ→ＥＯＳに亘る光量変化特性を示す平面図である。
【図５】本実施の形態に係る光量制御（強度変調）のための制御ブロック図である。
【図６】本実施の形態の変形例に係る光量制御（パルス幅変調）のための制御ブロック図である。
【図７】（Ａ）は本実施の形態の変形例に係る光ビーム走査装置の正面図、（Ｂ）は図７（Ａ）の右側面図である。
【図８】図７の光ビーム走査装置に適用される光源の平面図である。
【図９】光源のＢＯＷ及びＢＯＷ差の発生原理を示す平面図である。
【図１０】（Ａ）はＢＯＷ及びＢＯＷ差に起因する副走査方向のピッチ差を表現する平面図、（Ｂ）は、図１０（Ａ）における濃度パターンを三次元的に示した特性図である。
【符号の説明】
【００９０】
１０    光ビーム走査装置
１２Ｙ、１２Ｍ、１２Ｃ、１２Ｋ    感光体（像担持体）
ＬＹ、ＬＭ、ＬＣ、ＬＫ    レーザビーム群
１４    光源（面発光レーザービームアレイ）
１６    偏向前光学系（集光光学系）
１８    回転多面鏡（偏向器）
２０    走査光学系
Ｐ    発光点
２２    コリメートレンズ
２４    第一偏向前レンズ
２６    第二偏向前レンズ
２７    シリンダーレンズ
２８    ｆθレンズ群
３４Ｙ、３４Ｍ、３４Ｃ、３４Ｋ    第１平面ミラー
３６Ｙ、３６Ｍ、３６Ｃ、３６Ｋ    第２平面ミラー
３０    平面ミラー群
１００    ＬＤ駆動回路
１０２    画像処理制御部
１０４    信号振分部
１０６    ＬＤ駆動ドライバ
１０８    駆動電流減少加減算部
１１０    駆動電流増加加減算部
１１２    駆動電流大→小変更指示部（同時走査ピッチ補正手段）
１１４    駆動電流小→大変更指示部（繰り返し走査ピッチ補正手段）
【図１】
2008026541.tif 000003
【図２】
2008026541.tif 000004
【図３】
2008026541.tif 000005
【図４】
2008026541.tif 000006
【図５】
2008026541.tif 000007
【図６】
2008026541.tif 000008
【図７】
2008026541.tif 000009
【図８】
2008026541.tif 000010
【図９】
2008026541.tif 000011
【図１０】
2008026541.tif 000012